(57)【要約】【課題】  ピストン往復動に伴う振動の斜板からローターへの伝達が抑制された可変容量斜板式圧縮機の斜板を提供する。【解決手段】  斜板本体と、スイングアームが一体形成された斜板ボスと、斜板固定リングとを備え、斜板ボスと斜板固定リングとが斜板本体を挟んだ状態で前記三者が一体に固定され、且つ斜板本体と斜板ボスとの間に制振材が介挿されている。【選択図】  図１
2005220859.tif 000002
【特許請求の範囲】
【請求項１】
斜板本体と、スイングアームが一体形成された斜板ボスと、斜板固定リングとを備え、斜板ボスと斜板固定リングとが斜板本体を挟んだ状態で前記三者が一体に固定され、且つ斜板本体と斜板ボスとの間に制振材が介挿されていることを特徴とする可変容量斜板式圧縮機の斜板。
【請求項２】
ボスが一体形成された斜板本体と、スイングアームと、斜板固定リングとを備え、スイングアームと斜板固定リングとが斜板本体を挟んだ状態で前記三者が一体に固定され、且つ斜板本体とスイングアームとの間に制振材が介挿されていることを特徴とする可変容量斜板式圧縮機の斜板。
【請求項３】
斜板本体と斜板固定リングとの間に制振材が介挿されていることを特徴とする請求項１又は２に記載の可変容量斜板式圧縮機の斜板。
【発明の詳細な説明】
【技術分野】
【０００１】
本発明は、可変容量斜板式圧縮機の斜板に関するものである。
【背景技術】
【０００２】
可変容量斜板式圧縮機の斜板として、特許文献１に開示されているように、斜板本体と、スイングアームが一体形成された斜板ボスとが一体に固定されたものや、特許文献２に開示されているように、ボスが一体形成された斜板本体と、スイングアームとが一体に固定されたもの等が従来使用されている。
【特許文献１】特開２００２−１８０９５２
【特許文献２】特開２００２−３５７１８６
【発明の開示】
【発明が解決しようとする課題】
【０００３】
従来の斜板式圧縮機には、ピストン往復動に伴う振動が、斜板、スイングアーム、スイングアームに作動係合するローター、スラストベアリングを介して圧縮機ケーシングに伝わり、騒音を発生させて近傍環境の悪化を招くという問題があった。
本発明は上記問題に鑑みてなされたものであり、ピストン往復動に伴う振動の斜板からローターへの伝達が抑制された可変容量斜板式圧縮機の斜板を提供することを目的とする。
【課題を解決するための手段】
【０００４】
上記課題を解決するために、本発明においては、斜板本体と、スイングアームが一体形成された斜板ボスと、斜板固定リングとを備え、斜板ボスと斜板固定リングとが斜板本体を挟んだ状態で前記三者が一体に固定され、且つ斜板本体と斜板ボスとの間に制振材が介挿されていることを特徴とする可変容量斜板式圧縮機の斜板を提供する。
また本発明においては、ボスが一体形成された斜板本体と、スイングアームと、斜板固定リングとを備え、スイングアームと斜板固定リングとが斜板本体を挟んだ状態で前記三者が一体に固定され、且つ斜板本体とスイングアームとの間に制振材が介挿されていることを特徴とする可変容量斜板式圧縮機の斜板を提供する。
本発明に係る可変容量斜板式圧縮機の斜板においては、ピストン往復動に伴う振動エネルギーの一部が、スイングアームが一体形成された斜板ボスと斜板本体との間に、又はボスが一体形成された斜板本体とスイングアームとの間に介挿された制振材によって消費されることにより、ピストン往復動に伴う振動の斜板本体からスイングアームへの伝達が抑制される。この結果、ピストン往復動に伴う振動の斜板からローターへの伝達が抑制され、斜板式圧縮機近傍環境の騒音による悪化が抑制される。
【０００５】
本発明の好ましい態様においては、斜板本体と斜板固定リングとの間に制振材が介挿されている。
スイングアームが一体形成された斜板ボスと斜板本体との間、ボスが一体形成された斜板本体とスイングアームとの間に加えて、斜板本体と斜板固定リングとの間に制振材を介挿しても良い。
ピストン往復動に伴う振動エネルギーの他の一部が、斜板本体と斜板固定リングとの間に介挿された制振材によって消費され、ピストン往復動に伴う振動の斜板本体からスイングアームへの伝達が更に抑制される。
【発明の効果】
【０００６】
本発明に係る可変容量斜板式圧縮機の斜板においては、ピストン往復動に伴う振動エネルギーの一部が、斜板本体とスイングアームが一体形成された斜板ボスとの間に、又はボスが一体形成された斜板本体とスイングアームとの間に介挿された制振材によって消費されることにより、ピストン往復動に伴う振動の斜板本体からスイングアームへの伝達が抑制され、ピストン往復動に伴う振動の斜板からローターへの伝達が抑制され、斜板式圧縮機近傍環境の騒音による悪化が抑制される。
【発明を実施するための最良の形態】
【０００７】
本発明の実施例に係る可変容量斜板式圧縮機の斜板を説明する。
【実施例１】
【０００８】
図１に示すように、斜板Ａは、斜板本体１と、スイングアーム２ａが一体形成された斜板ボス２と、斜板固定リング３とを備えている。
斜板ボス２と斜板固定リング３とが斜板本体１を挟んだ状態で、前記三者がリベット４により一体に固定されている。
斜板本体１と斜板ボス２との間と、斜板本体１と斜板固定リング３との間に、粘弾性体を鋼板で挟んだ制振鋼板、粘弾性体等の制振材５が介挿されている。
斜板Ａは、可変容量斜板式圧縮機の駆動軸６によって傾角可変に支持されている。
斜板Ａの斜板本体１は、図示しないシューを介してピストンに連結されている。斜板Ａのスイングアーム２ａは、ヒンジ機構７を介してローター８に連結されている。ローター８は駆動軸６に固定されると共に図示しないスラストベアリングを介して、図示しないケーシングにより支持されている。
【０００９】
斜板Ａを備える可変容量斜板式圧縮機においては、駆動軸６の回転が、ローター８を介して斜板Ａに伝達され、斜板Ａの回転に伴ってピストンが往復動し、流体を圧縮する。
ピストンの往復動に伴う振動が、シューを介して斜板本体１に伝達される。振動エネルギーの一部は、斜板本体１と斜板ボス２との間に介挿された制振材５により消費されて熱エネルギーになる。この結果、ピストン往復動に伴う振動の斜板本体１からスイングアーム２ａへの伝達が抑制され、ピストン往復動に伴う振動の斜板Ａからローター８への伝達が抑制され、斜板式圧縮機近傍環境の騒音による悪化が抑制される。
ピストン往復動に伴う振動エネルギーの他の一部は、斜板本体１と斜板固定リング４との間に介挿された制振材５によって消費される。この結果、ピストン往復動に伴う振動の斜板本体１からスイングアーム２ａへの伝達が更に抑制され、ピストン往復動に伴う振動の斜板Ａからローター８への伝達が更に抑制され、斜板式圧縮機近傍環境の騒音による悪化が更に抑制される。
【実施例２】
【００１０】
ボスが一体形成された斜板本体と、スイングアームと、斜板固定リングとを備え、スイングアームと斜板固定リングとが斜板本体を挟んだ状態で前記三者が一体に固定された可変容量斜板式圧縮機の斜板において、斜板本体とスイングアームとの間と、斜板本体と斜板固定リングとの間とに、制振材を介挿しても良い。
【産業上の利用可能性】
【００１１】
本発明は可変容量斜板式圧縮機の斜板に広く利用可能である。
【図面の簡単な説明】
【００１２】
【図１】本発明の第１実施例に係る可変容量斜板式圧縮機の斜板の断面図である。
【符号の説明】
【００１３】
Ａ  可変容量斜板式圧縮機の斜板
１  斜板本体
２  スイングアーム
３  斜板固定リング
４  リベット
５  制振材
６  駆動軸
７  リンク機構
８  ローター
【図１】
2005220859.tif 000003